【手続補正書】
【提出日】平成18年12月6日(2006.12.6)
【手続補正１】
【補正対象書類名】明細書
【補正対象項目名】請求項３
【補正方法】変更
【補正の内容】
【請求項３】  隣接する上下の二層における前記固有の一側面が角筒の同一の側面である請求項１に記載の平角線多層巻角形コイル。
【手続補正２】
【補正対象書類名】明細書
【補正対象項目名】００１１
【補正方法】変更
【補正の内容】
【００１１】
なお、平角線は、典型的には、絶縁被覆された銅線からなり、絶縁被覆は、例えば自己融着性の樹脂系材料からなる。但し、導線の素材は、銅の代わりに他の金属又は合金でもよく、また、絶縁被覆材料は、自己融着性でなくてもよい。
【手続補正３】
【補正対象書類名】明細書
【補正対象項目名】００２９
【補正方法】変更
【補正の内容】
【００２９】
なお、斜行巻線部Ａ１１の先端部すなわち平角線１の先端部１６は、例えば、斜行巻線部Ａ１１が斜行巻線部Ａ１２の半分程度の長さになるところ１７でコイル１０の内部１８に向かって折れ曲がっている。この折曲先端部１６は、後述のように、コイル１０を角柱状の巻芯に巻き始める際、係合・保持されて固定される。先端部１６の保持・固定の仕方に応じて先端部１６の延在方向等は異なっていてもよく、最終的なコイル製品としては、所望に応じて切断されても、所望の向きに変形・転向された後所望に応じて切断されてもよい。
【手続補正４】
【補正対象書類名】明細書
【補正対象項目名】００３１
【補正方法】変更
【補正の内容】
【００３１】
コイル１０の第二巻層Ｌ２は、図３及び２からわかるように、斜行部が側面Ｄになっている点を除いて、第一巻層Ｌ１の場合と実際上同様である。但し、平角線１の巻回方向に沿って増加するように巻線部Ａ２ｉの「ｉ」を採ると、軸線Ｋ方向の巻回の向きが第一巻層Ｌ１の場合の向きＫ１（右巻き）から反対の向きＫ２（左巻き）に変わるので、例えば、側面Ａにおいて隣接する巻線部Ａ２ｊ，Ａ２ｋ（但しｊ＝１〜４で、ｋ＝ｊ＋１）の隣接側縁Ａ２ｊａ，Ａ２ｋｂが対面領域の実際上全体で密接している。側面Ｂの隣接巻線部Ｂ２ｊ，Ｂ２ｋの隣接側縁Ｂ２ｊａ，Ｂ２ｋｂ、側面Ｃの隣接巻線部Ｃ２ｊ，Ｃ２ｋの隣接側縁Ｃ２ｊａ，Ｃ２ｋｂ、側面Ｄの隣接巻線部Ｄ２ｊ，Ｄ２ｋの隣接側縁Ｄ２ｊａ，Ｄ２ｋｂについても同様である。
【手続補正５】
【補正対象書類名】明細書
【補正対象項目名】００３８
【補正方法】変更
【補正の内容】
【００３８】
巻機５０の本体５０ａは、図５の（ａ）に示したように、軸線ＰのまわりでＲ１方向に回転可能にフレーム（図示せず）に支持されこの図で左側にある第一治具としての左側回転軸５１と、この回転軸５１に対して軸線Ｐ方向に向き合って配置され軸線ＰのまわりでＲ１方向に回転可能な第二治具としての右側回転軸５２とを有する。説明の簡明化のために、図５から７では、軸線Ｐに一致する方向がＺ軸に、これに垂直な面がＸ−Ｙ平面になるように、巻機５０のフレーム（図示せず）に固定されたＸ−Ｙ−Ｚ直交座標系を採る。Ｘ軸は紙面（図５の（ａ）の表面」）に垂直で手前に向かう向きに採り、Ｙ軸は、紙面（図５の（ａ）の表面」）内で上向きに採る。
【手続補正６】
【補正対象書類名】明細書
【補正対象項目名】００４２
【補正方法】変更
【補正の内容】
【００４２】
突起部５８及び巻芯部５６には、突起部５８の先端５９から巻芯部５６の先端領域５６ａ内に達する係合溝６０が形成されている。係合溝６０は、平角線１の先端１ｃが嵌挿されるように深さＷ１が平角線１の幅Ｗとほぼ同じ（但しＷ１≧Ｗ）で幅Ｔ１が平角線の厚さＴとほぼ同じ（但しＴ１≧Ｔ）である平角線先端部保持用の溝部６１を、巻芯部５６のＸ方向の両端面５６Ａ，５６Ｃ（図５の（ａ）及び図７参照）並びに突起部５８のＸ方向の両端面５８ａ，５８ｂ（但し図５の（ａ）において紙面の奥に位置する端面５８ｂは図示せず）間に有する。係合溝６０は、更に、平角線１の先端部１ｃないし１６が突起部５８の先端５９から保持用溝部６１に挿設・嵌合されるように該先端部１ｃを案内する傾斜案内面６２ａ，６２ｂを備えた案内溝部６２を有する。
【手続補正７】
【補正対象書類名】明細書
【補正対象項目名】００４３
【補正方法】変更
【補正の内容】
【００４３】
一方、右側回転軸５２は、フランジ面５４に向き合う位置に、フランジ面５４と実際上同一形状の外形を有するフランジ面６３を備え、該フランジ面６３には、左側回転軸５１に向かってＺ１方向に移動された際左側回転軸５１の巻芯部５６の先端係合部５７の突起部５８が嵌着されるように突起部５８の外形と相補的な形状、即ち横断面が一辺Ｓｅの正方形で深さがＺｅの四角柱状の被係合凹部ないし被係合穴部６４と、図５の（ｂ）において被係合穴部６４からＸ方向端面５２ａまでＸ方向に延びた幅がＴ２（但しＴ２≧Ｔ）で深さＷｔの巻線ガイド溝部６５と、溝部６５のうち、軸線Ｐを基準としてみて、Ｘ方向にＳｉ／２離れた部位６８から回転軸５２の外側面５２Ａまでの領域ないし範囲において、溝部６５のＹ方向上縁部６５ａからフランジ面６３に向かって延びた傾斜底面６６を備えた巻始め位置規制凹部６７とを有する。巻始め位置規制凹部６７は、Ｙ方向位置がＳｉ／２〜Ｓｉ／２＋Δのところで、フランジ面６３につながる。ここで、０≦Δ≦Ｔである。凹部６７の側面６８は、図５の（ａ）に示したような三角形状になる。なお、先端係合部５７と係合されるべき被係合部は、被係合穴６４と、フランジ面６３のうち溝６５を含む部分とからなる。
【手続補正８】
【補正対象書類名】明細書
【補正対象項目名】００４７
【補正方法】変更
【補正の内容】
【００４７】
支持軸８０は、例えば、ステップモータＭ２を介して、その回転駆動制御部８１に結合されている。ステップモータＭ２の回転駆動制御部８１は、ステップモータＭ１の回転駆動制御部５３に結合されていて該制御部５３から同期駆動信号を受取ってモータＭ２を同期回転させる。回転軸５１，５２の回転に同期してガイド７０の軸線Ｐｇ方向の位置が決定される。回転駆動制御部８１は、コイル１０の巻数（形成されるべきコイルの巻層の数、コイルの一層当たりの列数、コイルの横断面形状及びサイズ、コイルの横断面の各辺の長さ、平角線の幅や厚さ、軸線Ｐｇ，Ｐの相対的な位置関係（図７で見た向きでの位置関係など）及び距離などを考慮して、モータＭ１による巻芯５６の回転角に応じた回転を支軸８０に与えてガイド７３のＺ方向位置を制御する。その位置制御のパターンの概略は、図８に実線Ｕすなわち実線Ｕ１，Ｕ２で示したとおりである。なお、ガイド７０のＺ方向位置は、巻芯５６に引き込まれる平角線１のＺ方向位置を規定して平角線１の直行、斜行、折曲を規定しようとするものであるから、ガイド７０と巻芯５６との間での平角線１の撓みを最小限にすべく、ガイド７０を巻芯５６に近接させることが好ましい。
【手続補正９】
【補正対象書類名】明細書
【補正対象項目名】００４９
【補正方法】変更
【補正の内容】
【００４９】
ガイド７０は軸線Ｐｇのまわりで回転可能である代わりに、回転することなく平角線１を摺動案内するように構成されていてもよい。
【手続補正１０】
【補正対象書類名】明細書
【補正対象項目名】００５１
【補正方法】変更
【補正の内容】
【００５１】
まず、図５の（ａ）に示したように回転軸５１，５２が分離された初期状態において、自己融着性の絶縁被覆付の平角線１をガイド７０に沿って引き出して該平角線１の先端１ｃを−Ｘ方向に向けておいて該先端１ｃを巻芯５６の突起部ないし突出部５８の溝６０の奥の溝部６１に挿入する。この場合、平角線１の長手方向に見て、例えば、溝６１の長手方向（図５の（ａ）ではＸ方向）の実際上全長に延びるに十分な長さだけ、平角線１の先端１ｃを挿入する。なお、先端１ｃの一方の表面では、好ましくは、絶縁被覆が剥離されたコンタクト部２が予め形成されている。以上においては、溝６０がＸ方向に延びるとして説明したけれども、回転軸５１，５２は、軸線Ｐのまわりで回転可能であるから、溝６０が人手により又は機械により作業をし易い向きに回転軸５１，５２を回転させておいて、溝６０の奥の溝部６１に平角線１の先端１ｃを挿設すればよい。
【手続補正１１】
【補正対象書類名】明細書
【補正対象項目名】００５５
【補正方法】変更
【補正の内容】
【００５５】
一方、平角線１が巻芯部５６の角５６Ｅで折り曲げられるようになると、ガイド７０のＺ１方向移動が停止される。回転軸５１，５２のＲ１方向の回転により、平角線１の側縁１ａが回転軸５２のフランジ面６３に接する状態で平角線１の内面１ｄが巻芯部５６の側面５６Ｂに接するようになると、側面Ａの斜行巻線部Ａ１１の下流端（角Ｅ）での折曲が完了し斜行巻線部Ａ１１の形成が完了する。このとき、図５の（ｃ）に示したように、平角線１は、巻芯５６の角５６Ｅで厚さ方向の内面１ｄ側に折り曲げられて巻芯５６に密接せしめられるだけでなく、フランジ面６３の方へ幅方向にも折り曲げられることになる。この折曲は、平角線１の張力の下で、傾斜面６６とフランジ面６３との角６６ａ及び巻芯５６の角５６Ｅを利用して行なわれるから、折曲力を効果的に加え得る。なお、巻芯部５６が一定速度で回転されていても、回転角が９０度増す毎に平角線１が新たな角に係合するようになると、巻芯部５６のまわりでの巻付半径が、直前のＳｉ／２からＳｉ／２１／２に急増する。その結果、巻芯部５６上に既に巻かれている平角線の巻線部に締付け力が働く。従って、巻芯部５６を一定速度で回転させることは、角に巻きつけるようになる毎に、巻線に締付け力を及ぼすべく巻付速度を変えるように回転制御ないし巻付制御していることになる。平角線１の内面１ｄが巻芯部５６の側面５６Ｂに接すると、次に、回転軸５１，５２のＲ１方向の回転により、巻芯部５６の角５６Ｆにおける平角線１の折曲が始まり、平角線１の側縁１ａが回転軸５２のフランジ面６３に接する状態で平角線１の内面１ｄが巻芯部５６の側面５６Ｃに接するようになると、側面Ｂの直行巻線部Ｂ１１の下流端（角Ｆ）での折曲が完了し直行巻線部Ｂ１１の形成が完了する。同様にして、平角線１の側縁１ａが平角線１の回転軸５２のフランジ面６３に接する状態で平角線１が巻芯部５６の角５６Ｇで折り曲げられて角形コイルの側面Ｃの直行巻線部Ｃ１１が形成され、更に、巻芯部５６上の平角線１の側縁１ａが回転軸５２のフランジ面６３に接する状態で平角線１が巻芯部５６の角５６Ｈで折り曲げられて角形コイルの側面Ｄの直行巻線部Ｄ１１が形成される。
【手続補正１２】
【補正対象書類名】明細書
【補正対象項目名】００５９
【補正方法】変更
【補正の内容】
【００５９】
図１の（ａ）に示したような第一層目の巻線のうち側面Ｂ，Ｃ，Ｄの最終巻線部Ｂｎ，Ｃｎ，Ｄｎ（図１の（ａ）の例ではｎ＝５であるけれども、実際には、より多くてもよく、ｎは、例えば、数列〜数１０列、場合よっては数１００程度又はより多くてもよい）は、平角線１の側縁部１ｂが、回転軸５１の本体部５５のフランジ面５４に実際上密接して沿うように巻かれる。